(57)【要約】  方法、システム、デバイス、および装置は無線アクセス技術（ＲＡＴ）の検出および識別に関して記述される。ユーザ機器（ＵＥ）はマルチＲＡＴの１次同期信号（ＰＳＳ）を復号し得る。マルチＲＡＴ  ＰＳＳは複数のＲＡＴの間で共通であり得る。ＵＥは、復号されたマルチＲＡＴ  ＰＳＳに基づいて、２次同期信号（ＳＳＳ）を復号し得る。ＵＥは、復号されたＳＳＳに基づいて、マルチＲＡＴ  ＰＳＳとＳＳＳとに関連するＲＡＴを特定し得る。
2018533265.tif 000002
【特許請求の範囲】
【請求項１】
ワイヤレス通信のための方法であって、
マルチ無線アクセス技術（マルチＲＡＴ）の１次同期信号（ＰＳＳ）を復号することと、前記マルチＲＡＴ  ＰＳＳは複数の無線アクセス技術（ＲＡＴ）の間で共通であり、
前記復号されたマルチＲＡＴ  ＰＳＳに少なくとも部分的に基づいて、２次同期信号（ＳＳＳ）を復号することと、および
前記復号されたＳＳＳに少なくとも部分的に基づいて、前記マルチＲＡＴ  ＰＳＳと前記ＳＳＳとに関連するＲＡＴを特定することと
を備える方法。
【請求項２】
前記ＲＡＴを特定することは、
前記ＳＳＳ中に含まれるＲＡＴシーケンス番号を特定すること、前記ＲＡＴシーケンス番号は前記ＲＡＴの識別子を備える、
を備える、請求項１に記載の方法。
【請求項３】
前記ＲＡＴシーケンス番号は、前記特定されたＲＡＴに関連する変調方式を備える、請求項２に記載の方法。
【請求項４】
前記ＲＡＴを特定することは、
前記復号されたＳＳＳに関連する周期性を決定することと、および
前記周期性に少なくとも部分的に基づいて前記ＲＡＴを特定することと
を備える、請求項１に記載の方法。
【請求項５】
前記ＲＡＴを特定することは、
前記マルチＲＡＴ  ＰＳＳに関連する周期性を決定することと、および
前記周期性に少なくとも部分的に基づいて前記ＲＡＴを特定することと
を備える、請求項１に記載の方法。
【請求項６】
前記ＲＡＴを特定することは、
前記復号されたＳＳＳのフォーマットを決定することと、および
前記復号されたＳＳＳの前記フォーマットに少なくとも部分的に基づいて前記ＲＡＴを特定することと
を備える、請求項１に記載の方法。
【請求項７】
前記特定されたＲＡＴの１つまたは複数のチャネル上でワイヤレス通信を実行すること
をさらに備える、請求項１に記載の方法。
【請求項８】
前記特定されたＲＡＴは、モバイル用グローバルシステム（ＧＳＭ）ＲＡＴ、またはユニバーサルモバイルテレコミュニケーションズサービス（ＵＭＴＳ）ＲＡＴ、またはロングタームエボリューション（ＬＴＥ）ＲＡＴ、またはそれらの組合せのうちの少なくとも１つを備える、請求項１に記載の方法。
【請求項９】
前記マルチＲＡＴ  ＰＳＳは、前記特定されたＲＡＴに関連する、タイミングコンポーネントと周波数コンポーネントとを備える、請求項１に記載の方法。
【請求項１０】
前記複数のＲＡＴのうちの少なくとも２つのＲＡＴは同じ物理レイヤモードを利用し、ここにおいて、前記少なくとも２つのＲＡＴの各々は異なる物理レイヤパラメータを利用する、請求項１に記載の方法。
【請求項１１】
前記少なくとも２つのＲＡＴは同じＲＡＴである、請求項１０に記載の方法。
【請求項１２】
前記複数のＲＡＴのうちの少なくとも２つのＲＡＴは、ダウンリンク通信に関する直交周波数分割多元接続（ＯＦＤＭＡ）技法を利用し、ここにおいて、前記少なくとも２つのＲＡＴの各々は、異なるトーン間隔パラメータと異なるサイクリックプレフィックス長とを利用する、および
ＲＡＴまたは動作モードを示すために、ＰＳＳＳに関してＳＳＳの周期性を使用すること、
請求項１に記載の方法。
【請求項１３】
前記少なくとも２つのＲＡＴは異なるＲＡＴである、請求項１２に記載の方法。
【請求項１４】
ワイヤレス通信のための装置であって、
マルチ無線アクセス技術（マルチＲＡＴ）の１次同期信号（ＰＳＳ）を復号するための手段と、前記マルチＲＡＴ  ＰＳＳは複数の無線アクセス技術（ＲＡＴ）の間で共通であり、
前記復号されたマルチＲＡＴ  ＰＳＳに少なくとも部分的に基づいて、２次同期信号（ＳＳＳ）を復号するための手段と、および
前記復号されたＳＳＳに少なくとも部分的に基づいて、前記マルチＲＡＴ  ＰＳＳと前記ＳＳＳとに関連するＲＡＴを特定するための手段と
を備える装置。
【請求項１５】
前記ＲＡＴを特定するための前記手段は、
前記ＳＳＳ中に含まれるＲＡＴシーケンス番号を特定するための手段、前記ＲＡＴシーケンス番号は前記ＲＡＴの識別子を備える、
をさらに備える、請求項１４に記載の装置。
【請求項１６】
前記ＲＡＴシーケンス番号は、前記特定されたＲＡＴに関連する変調方式を備える、請求項１５に記載の装置。
【請求項１７】
前記復号されたＳＳＳに関連する周期性を決定するための手段と、および
前記周期性に少なくとも部分的に基づいて前記ＲＡＴを特定するための手段と
をさらに備える、請求項１４に記載の装置。
【請求項１８】
前記ＲＡＴを特定するための前記手段は、
前記マルチＲＡＴ  ＰＳＳに関連する周期性を決定するための手段と、および
前記周期性に少なくとも部分的に基づいて前記ＲＡＴを特定するための手段と
をさらに備える、請求項１４に記載の装置。
【請求項１９】
前記ＲＡＴを特定するための前記手段は、
前記復号されたＳＳＳのフォーマットを決定するための手段と、および
前記復号されたＳＳＳの前記フォーマットに少なくとも部分的に基づいて前記ＲＡＴを特定するための手段と
をさらに備える、請求項１４に記載の装置。
【請求項２０】
前記特定されたＲＡＴの１つまたは複数のチャネル上でワイヤレス通信を実行するための手段
をさらに備える、請求項１４に記載の装置。
【請求項２１】
前記特定されたＲＡＴは、モバイル用グローバルシステム（ＧＳＭ）ＲＡＴ、またはユニバーサルモバイルテレコミュニケーションズサービス（ＵＭＴＳ）ＲＡＴ、またはロングタームエボリューション（ＬＴＥ）ＲＡＴ、またはそれらの組合せのうちの少なくとも１つを備える、請求項１４に記載の装置。
【請求項２２】
前記マルチＲＡＴ  ＰＳＳは、前記特定されたＲＡＴに関連する、タイミングコンポーネントと周波数コンポーネントとを備える、請求項１４に記載の装置。
【請求項２３】
前記複数のＲＡＴのうちの少なくとも２つのＲＡＴは同じ物理レイヤモードを利用し、ここにおいて、前記少なくとも２つのＲＡＴの各々は異なる物理レイヤパラメータを利用する、請求項１４に記載の装置。
【請求項２４】
前記少なくとも２つのＲＡＴは同じＲＡＴである、請求項２３に記載の装置。
【請求項２５】
前記複数のＲＡＴのうちの少なくとも２つのＲＡＴは、ダウンリンク通信に関する直交周波数分割多元接続（ＯＦＤＭＡ）技法を利用し、ここにおいて、前記少なくとも２つのＲＡＴの各々は、異なるトーン間隔パラメータと異なるサイクリックプレフィックス長とを利用する、請求項１４に記載の装置。
【請求項２６】
前記少なくとも２つのＲＡＴは異なるＲＡＴである、請求項２５に記載の装置。
【請求項２７】
ワイヤレス通信のための装置であって、
プロセッサと、
前記プロセッサと電子通信状態にあるメモリと、および
前記メモリに記憶された命令と、
前記命令は、
マルチ無線アクセス技術（マルチＲＡＴ）の１次同期信号（ＰＳＳ）を復号することと、前記マルチＲＡＴ  ＰＳＳは複数の無線アクセス技術（ＲＡＴ）の間で共通であり、
前記復号されたマルチＲＡＴ  ＰＳＳに少なくとも部分的に基づいて、２次同期信号（ＳＳＳ）を復号することと、および
前記復号されたＳＳＳに少なくとも部分的に基づいて、前記マルチＲＡＴ  ＰＳＳと前記ＳＳＳとに関連するＲＡＴを特定することと
を行うために前記プロセッサによって実行可能である、
を備える装置。
【請求項２８】
前記ＲＡＴを特定するための前記命令はさらに、
前記ＳＳＳ中に含まれるＲＡＴシーケンス番号を特定すること、前記ＲＡＴシーケンス番号は前記ＲＡＴの識別子を備える、
を行うために前記プロセッサによって実行可能である、請求項２７に記載の装置。
【請求項２９】
前記ＲＡＴシーケンス番号は、前記特定されたＲＡＴに関連する変調方式を備える、請求項２８に記載の装置。
【請求項３０】
ワイヤレス通信のためのコンピュータ実行可能なコードを記憶する非一時的コンピュータ可読媒体であって、前記コードは、
マルチ無線アクセス技術（マルチＲＡＴ）の１次同期信号（ＰＳＳ）を復号することと、前記マルチＲＡＴ  ＰＳＳは複数の無線アクセス技術（ＲＡＴ）の間で共通であり、
前記復号されたマルチＲＡＴ  ＰＳＳに少なくとも部分的に基づいて、２次同期信号（ＳＳＳ）を復号することと、および
前記復号されたＳＳＳに少なくとも部分的に基づいて、前記マルチＲＡＴ  ＰＳＳと前記ＳＳＳとに関連するＲＡＴを特定することと
を行うためにプロセッサによって実行可能である、
非一時的コンピュータ可読媒体。
【発明の詳細な説明】
【技術分野】
【０００１】
相互参照
[0001]本特許出願は、各々が本出願の譲受人に譲渡された、２０１６年２月１７日に出願された、「Multi-Radio Access Technology Synchronization Signal」と題する、Ｗａｎｇらによる米国特許出願第１５／０４５，４７７号、および２０１５年９月９日に出願された、「Multi-Radio Access Technology Synchronization Signal」と題する、Ｗａｎｇらによる米国仮特許出願第６２／２１６，３２１号の優先権を主張する。
【０００２】
[0002]本開示は、たとえば、ワイヤレス通信システムに関し、およびより詳細には、マルチプルな無線アクセス技術に関する同期信号に関する。
【背景技術】
【０００３】
[0003]ワイヤレス通信システムは、音声、ビデオ、パケットデータ、メッセージング、ブロードキャストなどのような、様々なタイプの通信コンテンツを提供するために広く展開されている。これらのシステムは、利用可能なシステムリソース（たとえば、時間、周波数、および電力）を共有することによってマルチプルなユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]例として、ワイヤレス多元接続通信システムは、多数の基地局を含み得、各々が、場合によってはユーザ機器（ＵＥ）として知られる、マルチプルな通信デバイスに関する通信を同時にサポートする。基地局は、（たとえば、基地局からＵＥへの送信に関して）ダウンリンクチャネル上でＵＥと通信し得、および（たとえば、ＵＥから基地局への送信に関して）アップリンクチャネル上でＵＥと通信し得る。ワイヤレス通信システムは、１つの、または２つ以上の無線アクセス技術（ＲＡＴ）または動作モードを使用するワイヤレス通信を与える基地局を含み得る。単一のＲＡＴ内の動作モードは異なる物理パラメータを有し得る。
【０００５】
[0005]ＵＥが基地局に接続することを最初に試みるとき、ＵＥは、従来、それがその上で通信することを予想するＲＡＴを知ることになる。たとえば、ＵＥは、チャネルに同調し得、および第１のＲＡＴ（たとえば、ロングタームエボリューション（ＬＴＥ（登録商標）：long term evolution）ＲＡＴ）を検出することを試み得る。第１のＲＡＴが検出されない場合、ＵＥは、第２のＲＡＴ（たとえば、モバイル用グローバルシステム（ＧＳＭ（登録商標）：global system for mobiles）ＲＡＴ）を検出することを試み得る。ＵＥは、利用可能なＲＡＴを最終的に検出し、および基地局に接続するまで、ＵＥは、各知られているＲＡＴに関して、このプロセスを続けることになる。この時間および電力消費のプロセスは、異なるＲＡＴが使用されるいくつかの展開シナリオにおいて特に厳しいこと(demanding)がある。たとえば、ＵＥが新しいロケーションにおいて最初に電源投入された(powered on)とき、ＵＥは、どのセルラーインフラストラクチャ（たとえば、ＲＡＴ）が新しいロケーションにおいて展開されているかに気づいていないことがある。したがって、ＵＥは、利用可能なＲＡＴを最終的に検出する前に、多数のＲＡＴを試し、および検出することを強制され得る。
【発明の概要】
【０００６】
[0006]記述される特徴は、複数の無線アクセス技術（ＲＡＴ）の間の共通の同期信号の使用に備える、１つまたは複数の改善された方法、システム、またはデバイスに一般的に関する。たとえば、異なるＲＡＴは同じ同期信号を使用し得るか、または同期シグナリングの少なくとも一部分は同じであり得る。概して、共通の同期信号は、個々のＲＡＴを探索する必要なしに、利用可能なＲＡＴをブラインドで(blindly)検出するために、ＵＥによって使用可能であり得る。一般的に、改善された方法は、共通の同期信号を復号するユーザ機器（ＵＥ）を含む。共通の同期信号はマルチＲＡＴの１次同期信号（ＰＳＳ）であり得る。マルチＲＡＴ  ＰＳＳは、各関連するＲＡＴに関して、構造を有し得、および／または同様の情報を含み得、たとえば、各マルチＲＡＴ  ＰＳＳは、ＲＡＴに関連するタイミング情報、ＲＡＴに関連する周波数情報などを含み得る。ＵＥは、２次同期信号（ＳＳＳ）を復号するために、マルチＲＡＴ  ＰＳＳ中で復号された情報を使用し得る。ＳＳＳは、それぞれのＲＡＴに関して同じであり得るかまたは異なり得る。ＳＳＳは、いくつかの例では、関連するＲＡＴを特定する情報要素（ＩＥ：information element）を含み得る。ＵＥは、次いで、関連するＲＡＴを特定するために、復号されたＳＳＳを使用し得る。したがって、ＵＥは、どのＲＡＴがエリア中で動作しているかをあらかじめ知ることなしに、同期信号を検出し得、および展開されたＲＡＴを特定し得る。
【０００７】
[0007]例の第１の例示的なセットでは、ワイヤレス通信のための方法は記述される。本方法は、マルチ無線アクセス技術（マルチＲＡＴ）の１次同期信号（ＰＳＳ）を復号することと、マルチＲＡＴ  ＰＳＳは複数の無線アクセス技術（ＲＡＴ）の間で共通であり、復号されたマルチＲＡＴ  ＰＳＳに少なくとも部分的に基づいて、２次同期信号（ＳＳＳ）を復号することと、および復号されたＳＳＳに少なくとも部分的に基づいて、マルチＲＡＴ  ＰＳＳとＳＳＳとに関連するＲＡＴを特定することとを含み得る。
【０００８】
[0008]いくつかの態様では、ＲＡＴを特定することは、ＳＳＳ中に含まれるＲＡＴシーケンス番号を特定することを含み得、ＲＡＴシーケンス番号はＲＡＴの識別子を備える。ＲＡＴシーケンス番号は、特定されたＲＡＴに関連する変調方式を含み得る。ＲＡＴを特定することは、復号されたＳＳＳに関連する周期性を決定することと、および周期性に少なくとも部分的に基づいてＲＡＴを特定することとを含み得る。ＲＡＴを特定することは、マルチＲＡＴ  ＰＳＳに関連する周期性を決定することと、および周期性に少なくとも部分的に基づいてＲＡＴを特定することとを含み得る。ＲＡＴを特定することは、復号されたＳＳＳのフォーマットを決定することと、および復号されたＳＳＳのフォーマットに少なくとも部分的に基づいてＲＡＴを特定することとを含み得る。
【０００９】
[0009]いくつかの態様では、本方法は、特定されたＲＡＴの１つまたは複数のチャネル上でワイヤレス通信を実行することを含み得る。特定されたＲＡＴは、モバイル用グローバルシステム（ＧＳＭ）ＲＡＴ、またはユニバーサルモバイルテレコミュニケーションズサービス（ＵＭＴＳ：universal mobile telecommunications service）ＲＡＴ、またはロングタームエボリューション（ＬＴＥ）ＲＡＴ、またはそれらの組合せのうちの少なくとも１つを含み得る。マルチＲＡＴ  ＰＳＳは、特定されたＲＡＴに関連する、タイミングコンポーネント(timing component)と周波数コンポーネントとを含み得る。
【００１０】
[0010]いくつかの態様では、複数のＲＡＴのうちの少なくとも２つのＲＡＴは同じ物理レイヤモードを利用し、ここにおいて、少なくとも２つのＲＡＴの各々は異なる物理レイヤパラメータを利用する。少なくとも２つのＲＡＴは同じＲＡＴである。
【００１１】
[0011]いくつかの態様では、複数のＲＡＴのうちの少なくとも２つのＲＡＴは、ダウンリンク通信に関する直交周波数分割多元接続（ＯＦＤＭＡ）技法を利用し、ここにおいて、少なくとも２つのＲＡＴの各々は、異なるトーン間隔パラメータと異なるサイクリックプレフィックス長とを利用する。少なくとも２つのＲＡＴは異なるＲＡＴである。
【００１２】
[0012]例の第２の例示的なセットでは、ワイヤレス通信のための装置は記述される。本装置は、プロセッサと、プロセッサと電子通信状態にあるメモリと、およびメモリに記憶された命令とを含み得る。命令は、マルチ無線アクセス技術（マルチＲＡＴ）の１次同期信号（ＰＳＳ）を復号することと、マルチＲＡＴ  ＰＳＳは複数の無線アクセス技術（ＲＡＴ）の間で共通であり、復号されたマルチＲＡＴ  ＰＳＳに少なくとも部分的に基づいて、２次同期信号（ＳＳＳ）を復号することと、および復号されたＳＳＳに少なくとも部分的に基づいて、マルチＲＡＴ  ＰＳＳとＳＳＳとに関連するＲＡＴを特定することとを行うためにプロセッサによって実行可能である。
【００１３】
[0013]いくつかの態様では、ＲＡＴを特定するための命令はさらに、ＳＳＳ中に含まれるＲＡＴシーケンス番号を特定するためにプロセッサによって実行可能であり、ＲＡＴシーケンス番号はＲＡＴの識別子を備える。ＲＡＴシーケンス番号は、特定されたＲＡＴに関連する変調方式を含み得る。ＲＡＴを特定するための命令はさらに、復号されたＳＳＳに関連する周期性を決定することと、および周期性に少なくとも部分的に基づいてＲＡＴを特定することとを行うために実行可能である。ＲＡＴを特定するための命令はさらに、マルチＲＡＴ  ＰＳＳに関連する周期性を決定することと、および周期性に少なくとも部分的に基づいてＲＡＴを特定することとを行うために実行可能である。ＲＡＴを特定するための命令はさらに、復号されたＳＳＳのフォーマットを決定することと、および復号されたＳＳＳのフォーマットに少なくとも部分的に基づいてＲＡＴを特定することとを行うために実行可能である。
【００１４】
[0014]いくつかの態様では、本装置は、特定されたＲＡＴの１つまたは複数のチャネル上でワイヤレス通信を実行するためにプロセッサによって実行可能である命令を含み得る。特定されたＲＡＴは、モバイル用グローバルシステム（ＧＳＭ）ＲＡＴ、またはユニバーサルモバイルテレコミュニケーションズサービス（ＵＭＴＳ）ＲＡＴ、またはロングタームエボリューション（ＬＴＥ）ＲＡＴ、またはそれらの組合せのうちの少なくとも１つを含み得る。マルチＲＡＴ  ＰＳＳは、特定されたＲＡＴに関連する、タイミングコンポーネントと周波数コンポーネントとを含み得る。
【００１５】
[0015]いくつかの態様では、複数のＲＡＴのうちの少なくとも２つのＲＡＴは同じ物理レイヤモードを利用し、ここにおいて、少なくとも２つのＲＡＴの各々は異なる物理レイヤパラメータを利用する。少なくとも２つのＲＡＴは同じＲＡＴである。
【００１６】
[0016]いくつかの態様では、複数のＲＡＴのうちの少なくとも２つのＲＡＴは、ダウンリンク通信に関する直交周波数分割多元接続（ＯＦＤＭＡ）技法を利用し、ここにおいて、少なくとも２つのＲＡＴの各々は、異なるトーン間隔パラメータと異なるサイクリックプレフィックス長とを利用する。少なくとも２つのＲＡＴは異なるＲＡＴである。
【００１７】
[0017]例の第３の例示的なセットでは、ワイヤレス通信のための装置は記述される。本装置は、マルチ無線アクセス技術（マルチＲＡＴ）の１次同期信号（ＰＳＳ）を復号するための手段と、マルチＲＡＴ  ＰＳＳは複数の無線アクセス技術（ＲＡＴ）の間で共通であり、復号されたマルチＲＡＴ  ＰＳＳに少なくとも部分的に基づいて、２次同期信号（ＳＳＳ）を復号するための手段と、および復号されたＳＳＳに少なくとも部分的に基づいて、マルチＲＡＴ  ＰＳＳとＳＳＳとに関連するＲＡＴを特定するための手段とを含み得る。
【００１８】
[0018]いくつかの態様では、ＲＡＴを特定するための手段は、ＳＳＳ中に含まれるＲＡＴシーケンス番号を特定するための手段を含み得、ＲＡＴシーケンス番号はＲＡＴの識別子を備える。ＲＡＴシーケンス番号は、特定されたＲＡＴに関連する変調方式を含み得る。
【００１９】
[0019]例の第４の例示的なセットでは、ワイヤレス通信のためのコンピュータ実行可能コードを記憶する非一時的コンピュータ可読媒体は記述される。コードは、マルチ無線アクセス技術（マルチＲＡＴ）の１次同期信号（ＰＳＳ）を復号することと、マルチＲＡＴ  ＰＳＳは複数の無線アクセス技術（ＲＡＴ）の間で共通であり、復号されたマルチＲＡＴ  ＰＳＳに少なくとも部分的に基づいて、２次同期信号（ＳＳＳ）を復号することと、および復号されたＳＳＳに少なくとも部分的に基づいて、マルチＲＡＴ  ＰＳＳとＳＳＳとに関連するＲＡＴを特定することとを行うためにプロセッサによって実行可能である。
【００２０】
[0020]上記は、以下の発明を実施するための形態がより良く理解され得るように、本開示に従って例の特徴および技術的利点をかなり広く概説した。追加の特徴および利点は以下で記述される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に結びついて検討すると以下の記述からより良く理解されよう。図の各々は、例示および記述のみの目的で与えられ、および特許請求の範囲の限界の定義としてではない。
【００２１】
[0021]本発明の性質および利点のさらなる理解は、以下の図面を参照して実現され得る。添付の図では、同様のコンポーネントまたは特徴は同じ参照ラベルを有し得る。さらに、同じタイプの様々なコンポーネントは、参照ラベルの後に、ダッシュおよび同様のコンポーネントを区別する第２のラベルを続けることによって区別され得る。第１の参照ラベルのみが本明細書において使用される場合、その記述は、第２の参照ラベルにかかわらず、同じ第１の参照ラベルを有する同様のコンポーネントのうちのいずれにも適用可能である。
【図面の簡単な説明】
【００２２】
【図１】[0022]本開示の様々な態様に従った、ワイヤレス通信システムのブロック図。
【図２】[0023]本開示の様々な態様に従った、無線アクセス技術の識別に関するユーザ機器と基地局との間の通信の一例を示す図。
【図３Ａ】[0024]本開示の様々な態様に従った、無線アクセス技術の識別に関する同期信号の送信方式の例を示す図。
【図３Ｂ】本開示の様々な態様に従った、無線アクセス技術の識別に関する同期信号の送信方式の例を示す図。
【図３Ｃ】本開示の様々な態様に従った、無線アクセス技術の識別に関する同期信号の送信方式の例を示す図。
【図４】[0025]本開示の様々な態様に従った、ワイヤレス通信において使用に関する構成されたデバイスのブロック図。
【図５】[0026]本開示の様々な態様に従った、ワイヤレス通信において使用に関する構成されたデバイスのブロック図。
【図６】[0027]本開示の様々な態様に従った、ワイヤレス通信において使用に関するユーザ機器（ＵＥ）のブロック図。
【図７】[0028]本開示の様々な態様に従った、ワイヤレス通信に関する方法の一例を示すフローチャート。
【図８】[0029]本開示の様々な態様に従った、ワイヤレス通信に関する方法の一例を示すフローチャート。
【図９】[0030]本開示の様々な態様に従った、ワイヤレス通信に関する方法の一例を示すフローチャート。
【発明を実施するための形態】
【００２３】
[0031]モノのインターネット（ＩｏＴ：internet of things）は、拡張する地理的エリアにおける接続性を与えるために、異なる無線アクセス技術（ＲＡＴ）を利用し得る。たとえば、スタンドアロン(stand-alone)ＩｏＴソリューションは、１つのＲＡＴから異なるＲＡＴにチャネルを再利用すること(re-purposing)を含み得る。他の例は、異なるＲＡＴおよび／またはマルチプルなＲＡＴはカバレージエリア内で展開されていることを含む。そのような環境において最初に電源投入されるワイヤレスデバイス、たとえば、ユーザ機器（ＵＥ）は、どのＲＡＴが展開されるかを知らないことがある。従来の技法は、しかしながら、ブラインドのＲＡＴ検出に関するメカニズムを提供しない。代わりに、そのような技法は、ＲＡＴが最終的に検出されるまで、ＵＥが１つまた１つのＲＡＴを探索することを含み得る。たとえば、ＵＥは、電源投入し得、およびロングタームエボリューション（ＬＴＥ）ＲＡＴを検出することを試み得る。ＬＴＥ  ＲＡＴが検出されない場合、ＵＥは、次いで、ユニバーサルモバイルテレコミュニケーションサービス（ＵＭＴＳ：universal mobile telecommunication service）ＲＡＴを検出することを試み得る。ＵＭＴＳ  ＲＡＴが検出されない場合、ＵＥは、次いで、モバイル用グローバルシステム（ＧＳＭ）ＲＡＴを探索し得る。消去法(elimination)のこのプロセスは、ＵＥの貴重な時間とリソースとを消費し、およびユーザサービスを中断する。
【００２４】
[0032]本明細書の態様に従って、ＵＥは、マルチＲＡＴの同期信号を復号することによって、利用可能なＲＡＴを検出し得る。たとえば、ＵＥは、複数のＲＡＴによって共有される共通の同期信号であるマルチＲＡＴの１次同期信号（ＰＳＳ）を復号し得る。たとえば、各ＲＡＴに関して、マルチＲＡＴ  ＰＳＳは、同じ構造、フォーマットなどを有し得、および同様の情報（たとえば、タイミングおよび／または周波数の同期情報）をも含み得る。ＵＥは、２次同期信号（ＳＳＳ）を復号するために、マルチＲＡＴ  ＰＳＳ中で復号される情報を使用し得る。ＳＳＳは、異なるＲＡＴの間の共通のＳＳＳであり得るか、または各ＲＡＴに関して異なり得る。ＵＥは、復号されたＳＳＳに基づいて、関連するＲＡＴを特定し得る。たとえば、ＳＳＳは、たとえば、ＳＳＳのフォーマットおよび／またはコンテンツに基づいて、ＲＡＴを明示的に(explicitly)特定し、および／またはＲＡＴを暗黙的に(implicitly)特定し得る、情報要素（ＩＥ）を含み得る。いくつかの例では、ＵＥは、マルチＲＡＴ  ＰＳＳ、ＳＳＳ、または両方の同期信号の周期性に基づいてＲＡＴを特定し得る。したがって、ＵＥは、どのＲＡＴが展開されるかの事前知識なしに、ＲＡＴを迅速に検出し得、および特定し得る。
【００２５】
[0033]以下の記述は、例を与え、および特許請求の範囲に記載される範囲、適用可能性、または例を限定しない。変更は、本開示の範囲から逸脱することなく、議論される要素の機能および構成において行われ得る。様々な例は、必要に応じて(as appropriate)様々なプロシージャまたはコンポーネントを省略し得、置換し得、または追加し得る。たとえば、記述される方法は、記述される順序とは異なる順序で実行され得、および様々なステップは追加され得、省略され得、または組み合わせられ得る。また、いくつかの例に関して記述される特徴は、他の例において組み合わせられ得る。
【００２６】
[0034]図１は、本開示の様々な態様に従った、ワイヤレス通信システム１００の一例を示す。ワイヤレス通信システム１００は、基地局１０５と、ＵＥ１１５と、およびコアネットワーク１３０とを含む。コアネットワーク１３０は、ユーザ認証と、アクセス許可と、トラッキングと、インターネットプロトコル（ＩＰ）の接続性と、および他のアクセス、ルーティング、またはモビリティ機能とを与え得る。基地局１０５は、バックホールリンク１３２（たとえば、Ｓ１など）を通してコアネットワーク１３０とインターフェースし、およびＵＥ１１５との通信に関する無線構成およびスケジューリングを実行し得るか、または基地局コントローラ（図示せず）の制御下で動作し得る。様々な例では、基地局１０５は、バックホールリンク１３４（たとえば、Ｘ１など）を介して互いと、直接的または間接的のいずれかで（たとえば、コアネットワーク１３０を通して）通信し得、それはワイヤードまたはワイヤレス通信リンクであり得る。
【００２７】
[0035]基地局１０５は、１つまたは複数の基地局アンテナを介してＵＥ１１５とワイヤレスに通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、またはいくつかの他の好適な用語と言及され得る。基地局１０５に関する地理的カバレージエリア１１０は、カバレージエリアの一部分のみを構成するセクタに分割され得る。ワイヤレス通信システム１００は、異なるタイプの基地局１０５（たとえば、マクロセル基地局および／またはスモールセル基地局）を含み得る。ワイヤレス通信システムは、異なるＲＡＴを使用して通信する基地局１０５を含み得る。たとえば、ＲＡＴは、無線通信に関して使用されるアクセス技術と言及され得る。他の例では、ＲＡＴは、同じアクセス技術を共有する異なる物理レイヤモードと言及され得、しかしながら、様々な物理レイヤパラメータにおいて異なり得る。異なる技術に関する重複する地理的カバレージエリア１１０があり得る。
【００２８】
[0036]いくつかの例では、ワイヤレス通信システム１００はＬＴＥ／ＬＴＥ−Ａネットワークである。ＬＴＥ／ＬＴＥ−Ａネットワークでは、用語発展型ノードＢ（ｅＮＢ）は、基地局１０５を記述するために一般的に使用され得、用語ＵＥは、ＵＥ１１５を記述するために一般的に使用され得る。ワイヤレス通信システム１００は、異なるタイプのｅＮＢが様々な地理的領域にカバレージを与え、および／または異なるＲＡＴを利用する、異種のＬＴＥ／ＬＴＥ−Ａネットワークであり得る。たとえば、各ｅＮＢまたは基地局１０５は、マクロセル、スモールセル、および／または他のタイプのセルに通信カバレージを与え得る。用語「セル」は、コンテキストに依存して、基地局、基地局に関連するキャリアまたはコンポーネントキャリア、あるいはキャリアまたは基地局のカバレージエリア（たとえば、セクタなど）を記述するために使用され得る３ＧＰＰ（登録商標）の用語である。
【００２９】
[0037]マクロセルは、比較的大きい地理的エリア（たとえば、半径数キロメートル）を一般的にカバーし、およびネットワークプロバイダとのサービス加入を有するＵＥによる無制限されたアクセスを可能にし得る。スモールセルは、マクロセルと比較すると、マクロセルと同じまたは異なる（たとえば、ライセンスされている(licensed)、ライセンスされていない(unlicensed)などの）周波数帯域内で動作し得る、低電力の基地局である。スモールセルは、様々な例に従って、ピコセル、フェムトセル、およびマイクロセルを含み得る。ピコセルは、比較的小さい地理的エリアをカバーし得、およびネットワークプロバイダとのサービス加入を有するＵＥによる無制限されたアクセスを可能にし得る。フェムトセルはまた、比較的小さい地理的エリア（たとえば、自宅）をカバーし得、およびフェムトセルとの関連を有するＵＥ（たとえば、限定された加入者グループ（ＣＳＧ：closed subscriber group）中のＵＥ、自宅内のユーザに関するＵＥ、以下同様）による制限されたアクセスを与え得る。マクロセルに関するｅＮＢはマクロｅＮＢと言及され得る。スモールセルに関するｅＮＢは、スモールセルｅＮＢ、ピコｅＮＢ、フェムトｅＮＢ、またはホームｅＮＢと言及され得る。ｅＮＢは、１つまたはマルチプルな（たとえば、２つ、３つ、４つ、以下同様の）セル（たとえば、コンポーネントキャリア）をサポートし得る。
【００３０】
[0038]ワイヤレス通信システム１００は同期動作または非同期動作をサポートし得る。同期動作に関して、基地局は同様のフレームタイミングを有し得、および異なる基地局からの送信は時間的に近似的にアラインされ(be approximately aligned in time)得る。非同期動作に関して、基地局は異なるフレームタイミングを有し得、および異なる基地局からの送信は時間的にアラインされないことがある。本明細書で記述される技法は、同期動作または非同期動作のいずれかに関して使用され得る。
【００３１】
[0039]様々な開示される例のうちのいくつかに適応し得る通信ネットワークは、階層化のプロトコルスタックに従って動作するパケットベースのネットワークであり得る。ユーザプレーン(plane)では、ベアラ(bearer)またはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤは、論理チャネルを介して通信するためにパケットセグメンテーションおよびリアセンブリ(reassembly)を実行し得る。媒体アクセス制御（ＭＡＣ）レイヤは、優先度の処理と、およびトランスポートチャネルへの論理チャネルの多重化とを実行し得る。ＭＡＣレイヤはまた、リンク効率を改善するために、ＭＡＣレイヤにおける再送信を行うためにハイブリッドＡＲＱ（ＨＡＲＱ：Hybrid ARQ）を使用し得る。制御プレーンでは、無線リソース制御（ＲＲＣ）プロトコルレイヤは、ユーザプレーンのデータに関する無線ベアラをサポートする、ＵＥ１１５と基地局１０５またはコアネットワーク１３０との間のＲＲＣ接続の確立、構成および維持を与え得る。物理（ＰＨＹ）レイヤにおいて、トランスポートチャネルは物理チャネルにマッピングされ(be mapped)得る。
【００３２】
[0040]ＵＥ１１５はワイヤレス通信システム１００全体にわたって分散され、および各ＵＥ１１５は固定またはモバイルであり得る。ＵＥ１１５はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の好適な用語を含み得るか、またはそのように当業者によって言及され得る。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、以下同様であり得る。ＵＥ１１５は、マクロｅＮＢ、スモールセルｅＮＢ、リレー基地局、以下同様を含む、様々なタイプの基地局１０５およびネットワーク機器と通信することが可能であり得る。ＵＥ１１５はまた、異なるＲＡＴを使用して基地局１０５と通信することが可能であり得る。
【００３３】
[0041]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で記述された様々な無線技術に従って変調されたマルチプルなサブキャリア（たとえば、異なる周波数の波形信号）からなる信号であり得る。各変調された信号は、異なるサブキャリア上で送られ得、および制御情報（たとえば、基準信号、制御チャネルなど）、オーバーヘッド情報、ユーザデータなどを搬送し得る。通信リンク１２５は、（たとえば、対の(paired)スペクトルリソースを使用する）ＦＤＤ動作または（たとえば、不対の(unpaired)スペクトルリソースを使用する）ＴＤＤ動作を使用して、双方向通信を送信し得る。ＦＤＤに関するフレーム構造（たとえば、フレーム構造タイプ１）とＴＤＤに関するフレーム構造（たとえば、フレーム構造タイプ２）は定義され得る。
【００３４】
[0042]システム１００のいくつかの実施形態では、基地局１０５および／またはＵＥ１１５は、基地局１０５とＵＥ１１５との間の通信品質と信頼性とを改善するために、アンテナダイバーシティ方式を使用するためにマルチプルなアンテナを含み得る。追加的にまたは代替的に、基地局１０５および／またはＵＥ１１５は、同じまたは異なるコードされたデータを搬送するマルチプルな空間レイヤを送信するために、マルチパスな環境を利用し得る多入力多出力（ＭＩＭＯ）技法を使用し得る。
【００３５】
[0043]ワイヤレス通信システム１００は、マルチプルなセルまたはキャリア上での動作、キャリアアグリゲーション（ＣＡ）またはマルチキャリア動作と言及され得る特徴をサポートし得る。キャリアはまた、コンポーネントキャリア（ＣＣ）、レイヤ、チャネルなどと言及され得る。用語「キャリア」、「コンポーネントキャリア」、「セル」、および「チャネル」は、本明細書では互換的に使用され得る。ＵＥ１１５は、キャリアアグリゲーションに関して、マルチプルなダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３６】
[0044]ワイヤレス通信システム１００は、マルチプルなＲＡＴの間で共有されるかまたは同様である、共通の同期信号をサポートし得る。たとえば、基地局１０５は、各基地局１０５がマルチＲＡＴ  ＰＳＳのフォーマットまたは構造を利用する、様々なＲＡＴを使用して通信することが可能であり得る。一般的に、マルチＲＡＴ  ＰＳＳは、各関連するＲＡＴに関して、ＲＡＴに関する、タイミングコンポーネントまたはタイミングパラメータ、周波数コンポーネントまたは周波数パラメータ、あるいは両方を含み得る。マルチＲＡＴ  ＰＳＳ中に含まれる情報は、ＵＥ１１５がＳＳＳを検出しおよび復号するために使用することができる、ＲＡＴに関する関連するＳＳＳの指示を与え得る。ＵＥ１１５はマルチＲＡＴ  ＰＳＳを復号し得、およびマルチＲＡＴ  ＰＳＳ中に含まれるかまたは伝達される情報に基づいて、ＵＥ１１５はＳＳＳを検出し得および復号し得る。ＵＥ１１５は、マルチＲＡＴ  ＰＳＳとＳＳＳとに関連するＲＡＴを特定するために、ＳＳＳを使用し得る。ＳＳＳは、いくつかの例では、ＲＡＴに関連する識別情報の要素を明示的にまたは暗黙的に伝達し得る。他の例では、ＵＥ１１５は、マルチＲＡＴ  ＰＳＳおよび／またはＳＳＳに関して決定された周期性情報に基づいてＲＡＴを特定し得る。したがって、ＵＥ１１５は、通信に関して利用可能なＲＡＴを検出しおよび特定するために、共通の同期信号を使用し得る。
【００３７】
[0045]図２は、本開示の様々な態様に従った、ＵＥ１１５−ａと基地局１０５−ａとの間の通信の一例を示す図２００である。図２００は、図１を参照して記述されたワイヤレス通信システム１００の態様を示し得る。ＵＥ１１５−ａおよび／または基地局１０５−ａは、それぞれ、図１に関して上記で記述された、ＵＥ１１５および／または基地局１０５のうちの１つまたは複数の例であり得る。いくつかの例では、ＵＥ１１５または基地局１０５のうちの１つのようなシステムデバイスは、以下で記述される機能の一部または全部を実行するようにデバイスの機能的な要素を制御するためのコードの１つまたは複数のセットを実行し得る。
【００３８】
[0046]２０５において、ＵＥ１１５−ａは、２１０において基地局１０５−ａから受信されたマルチＲＡＴ  ＰＳＳを復号し得る。マルチＲＡＴ  ＰＳＳは、マルチプルなＲＡＴの間の共通の同期信号であり得る。たとえば、ＵＥ１１５−ａは、最初に電源投入され得、およびワイヤレス通信に関するセルラーインフラストラクチャを検出することが可能であり得る。ＵＥ１１５−ａは、しかしながら、どのＲＡＴが周囲のセルラーインフラストラクチャによって利用されるかを知らないことがある。したがって、ＵＥ１１５−ａは、マルチＲＡＴ  ＰＳＳを検出するためにチャネルに同調し得る。ＵＥ１１５−ａは、適用可能なＲＡＴの一部または全部が共通のマルチＲＡＴ  ＰＳＳを使用することになることを知り得る。異なるＲＡＴの例は、限定はされないが、ＬＴＥ  ＲＡＴ、ＵＭＴＳ  ＲＡＴ、ＧＳＭ  ＲＡＴなどを含む。ＲＡＴの他の例は、ダウンリンクにおける直交周波数分割多元接続（ＯＦＤＭＡ）を利用する、異なるＲＡＴを含み、ここにおいて、各ＲＡＴは、異なる時間間隔、異なるサイクリックプレフィックス長などを使用する。一例では、ＲＡＴは、同じ原理を使用して物理レイヤモードを共有し、しかしながらいくつかの物理レイヤパラメータにおいて異なる、アクセス技術を含み得る。
【００３９】
[0047]いくつかの態様では、マルチＲＡＴ  ＰＳＳは、関連するＲＡＴに関するタイミングパラメータ、関連するＲＡＴに関する周波数パラメータ、または両方のパラメータを含み得るかまたはさもなければ伝達し得る。タイミングパラメータおよび／または周波数パラメータは、関連するＲＡＴを介した通信に関するフレームアラインメント(alignment)の情報を与え得る。タイミングパラメータおよび／または周波数パラメータは、関連するＲＡＴに関して、ＳＳＳのタイミングおよび／またはロケーションの指示を与え得、たとえば、ＵＥ１１５−ａが、ＳＳＳを検出するためにどの周波数をおよびいつ試み得るかの指示を与え得る。一般的に、マルチＲＡＴ  ＰＳＳは周期的なスケジュールに従って送信される。マルチＲＡＴ  ＰＳＳの周期性は、複数のＲＡＴに関して同じであり得るかまたは異なり得る。いくつかの態様では、マルチＲＡＴ  ＰＳＳの周期性は、関連するＲＡＴの識別の指示を伝達し得る。
【００４０】
[0048]２１５において、ＵＥ１１５−ａは、２２０において基地局１０５−ａから受信されたＳＳＳを復号し得る。ＵＥ１１５−ａは、復号されたマルチＲＡＴ  ＰＳＳに基づいてＳＳＳを復号し得る。ＳＳＳは、複数のＲＡＴによって使用される共通の同期信号であり得る。いくつかの例では、ＳＳＳは、関連するＲＡＴ、たとえば、基地局１０５−ａに関連するＲＡＴの識別を含み得るかまたは伝達し得る。ＳＳＳは周期的なスケジュールに従って送信され得る。ＳＳＳの周期性は、複数のＲＡＴに関して同じであり得るかまたは異なり得る。いくつかの態様では、ＳＳＳの周期性は、関連するＲＡＴの識別の指示を伝達し得る。
【００４１】
[0049]いくつかの例では、ＳＳＳは、関連するＲＡＴを特定する情報要素を含み得る。たとえば、ＳＳＳは、ＲＡＴを特定するシーケンス番号を含み得る。シーケンス番号は、いくつかの例では、ＲＡＴの識別をも伝達する、ＲＡＴに関する変調方式を含み得る。たとえば、異なるＲＡＴは異なる変調方式を使用し得る。ＵＥ１１５−ａは、どの変調方式が特定のＲＡＴに関連するかを知り得る。
【００４２】
[0050]いくつかの例では、ＳＳＳはフォーマットまたは構造を含み得る。フォーマットは、複数のＲＡＴに関して同じであり得るかまたは異なり得る。フォーマットは、関連するＲＡＴの識別を伝達し得る。たとえば、第１のＲＡＴに関するＳＳＳのフォーマットは、第２のＲＡＴに関するＳＳＳのフォーマットとは異なり得る。ＳＳＳを復号するＵＥ１１５−ａは、ＳＳＳのフォーマットを特定し得、およびしたがって、関連するＲＡＴの識別を推測し得る。
【００４３】
[0051]２２５において、ＵＥ１１５−ａは、復号されたＳＳＳに基づいて、マルチＲＡＴ  ＰＳＳとＳＳＳとに関連するＲＡＴを特定し得る。たとえば、ＵＥ１１５−ａは、ＳＳＳおよび／またはマルチＲＡＴ  ＰＳＳの周期性に基づいて、ＳＳＳのフォーマットに基づいて、など、ＳＳＳ中で搬送される情報要素を使用して、関連するＲＡＴを特定し得る。したがって、ＵＥ１１５−ａは、基地局１０５−ａに関連するＲＡＴを特定し得、およびしたがって、特定されたＲＡＴの（１つまたは複数の）チャネル上でワイヤレス通信を実行し得る。
【００４４】
[0052]図３Ａ〜図３Ｃは図３００を示し、それらは本開示の様々な態様に従った、ＲＡＴの識別に関して使用される共通の同期信号の例である。図３００は、記述された技法に従って使用され得るマルチＲＡＴ  ＰＳＳ／ＳＳＳの送信方式の例を一般的に与える。図３００は、図１を参照して記述されたワイヤレス通信システム１００の態様を実装し得る。図３００は、図２を参照して記述された、ＵＥ１１５−ａと基地局１０５−ａとの間の例示的な通信の態様を実装し得る。図３００の態様は、図１および図２を参照して記述された、ＵＥ１１５および／または基地局１０５によって実装され得る。
【００４５】
[0053]図３Ａは、ＲＡＴの識別に関して使用されるマルチＲＡＴ  ＰＳＳおよびＳＳＳの送信方式の一例を示す、図３００−ａを示す。図３００−ａに示されている送信方式は、複数のＲＡＴの各々に関して使用され得、たとえば、各基地局１０５は、マルチＲＡＴ  ＰＳＳおよびＳＳＳに関して同じ周期性および／または構造を利用し得る。概して、図３００−ａに示されている送信方式は、複数のＲＡＴの間で同じ周期性をもつ、共通のマルチＲＡＴ  ＰＳＳおよびＳＳＳを含み得る。ＳＳＳは、関連するＲＡＴを特定する情報を含み得る。
【００４６】
[0054]たとえば、複数のＲＡＴに関連する各基地局１０５は、固定されたスケジュールに従って、マルチＲＡＴ  ＰＳＳ３０２と、その後に続くＳＳＳ３０４とを送信し得る。この送信方式は、追加のマルチＲＡＴ  ＰＳＳ３０６および３１０と、その後に続く、それぞれ、第２のＳＳＳ３０８および３１２との反復された送信を含み得る。マルチＲＡＴ  ＰＳＳおよびＳＳＳの送信方式の周期性は、時間期間３１４および３１６の間に示されている。すなわち、マルチＲＡＴ  ＰＳＳ３０２の送信とマルチＲＡＴ  ＰＳＳ３０６の送信との間の時間期間３１４は、マルチＲＡＴ  ＰＳＳ３０６の送信とマルチＲＡＴ  ＰＳＳ３１０の送信との間の時間期間３１６と同じである。同様に、ＳＳＳの送信の間の時間期間は、複数のＲＡＴのうちの各ＲＡＴに関して同じである。したがって、マルチＲＡＴ  ＰＳＳを復号するＵＥ１１５は、複数のＲＡＴの各々が、マルチＲＡＴ  ＰＳＳおよびＳＳＳの送信に関して同じ周期性を利用することを知り得る。
【００４７】
[0055]図３Ｂは、ＲＡＴの識別に関して使用されるマルチＲＡＴ  ＰＳＳおよびＳＳＳの送信方式の一例を示す、図３００−ｂを示す。図３００−ｂに示されているように、複数のＲＡＴのうちの各ＲＡＴは、異なるマルチＲＡＴ  ＰＳＳ／ＳＳＳの送信方式を使用し得る。概して、図３００−ｂに示されている送信方式は、複数のＲＡＴの間で異なる周期性をもつ、共通のマルチＲＡＴ  ＰＳＳおよびＳＳＳを含み得る。ＳＳＳは、関連するＲＡＴを特定する情報を含み得、および／または関連するＲＡＴの識別は、マルチＲＡＴ  ＰＳＳおよび／またはＳＳＳの周期性に基づき得る。
【００４８】
[0056]たとえば、ＲＡＴ１に関連する基地局１０５は、固定されたスケジュールに従って、マルチＲＡＴ  ＰＳＳ３１８と、その後に続くＳＳＳ３２０とを送信し得る。この送信方式は、追加のマルチＲＡＴ  ＰＳＳ３２２および３２６と、その後に続く、それぞれ、第２のＳＳＳ３２４および３２８との反復された送信を含み得る。ＲＡＴ１に関する、マルチＲＡＴ  ＰＳＳおよびＳＳＳの送信方式の周期性は、時間期間３３０および３３２の間に示されている。すなわち、マルチＲＡＴ  ＰＳＳ３１８の送信とマルチＲＡＴ  ＰＳＳ３２２の送信との間の時間期間３３０は、マルチＲＡＴ  ＰＳＳ３２２の送信とマルチＲＡＴ  ＰＳＳ３２６の送信との間の時間期間３３２と同じである。同様に、ＳＳＳの送信の間の時間期間は、ＲＡＴ１に関して同じである。
【００４９】
[0057]ＲＡＴ  Ｎに関して、ここで、Ｎは、正の整数であり、および異なるＲＡＴの数に基づき、マルチＲＡＴ  ＰＳＳおよびＳＳＳの送信方式の周期性は、ＲＡＴ１に関して利用される周期性とは異なる。たとえば、ＲＡＴ  Ｎに関連する基地局１０５は、固定されたスケジュールに従って、マルチＲＡＴ  ＰＳＳ３３４と、その後に続くＳＳＳ３３６とを送信し得る。この送信方式は、追加のマルチＲＡＴ  ＰＳＳ３３８と、その後に続く第２のＳＳＳ３４０との反復された送信を含み得る。ＲＡＴ  Ｎに関する、マルチＲＡＴ  ＰＳＳおよびＳＳＳの送信方式の周期性は、時間期間３４２の間に示されている。すなわち、マルチＲＡＴ  ＰＳＳ３３４の送信とマルチＲＡＴ  ＰＳＳ３３８の送信との間の時間期間３４２は、ＲＡＴ１に関する時間期間３３０および／または３３２とは異なる。議論されたように、関連するＲＡＴの識別は、ＳＳＳ中に含まれ得るか、またはマルチＲＡＴ  ＰＳＳ／ＳＳＳの送信方式の周期性に基づいて暗黙的に伝達され得る。
【００５０】
[0058]図３Ｃは、ＲＡＴの識別に関して使用される、例示的なマルチＲＡＴ  ＰＳＳおよびＳＳＳの送信方式を示す、図３００−ｃを示す。図３００−ｃに示されているように、複数のＲＡＴのうちの各ＲＡＴは、異なるマルチＲＡＴ  ＰＳＳ／ＳＳＳの送信方式を使用し得る。概して、図３００−ｃに示されている送信方式は、複数のＲＡＴの間で異なる周期性をもつ共通のマルチＲＡＴ  ＰＳＳを含み得、しかしながら複数のＲＡＴのうちの各ＲＡＴに関して、異なるＳＳＳをも含み得る。ＳＳＳのフォーマットは、関連するＲＡＴを特定する情報を含み得るかまたは伝達し得、および／または関連するＲＡＴの識別は、マルチＲＡＴ  ＰＳＳおよび／またはＳＳＳの周期性に基づき得る。
【００５１】
[0059]たとえば、ＲＡＴ１に関連する基地局１０５は、固定されたスケジュールに従って、マルチＲＡＴ  ＰＳＳ３４４と、その後に続くＳＳＳ３４６とを送信し得る。この送信方式は、追加のマルチＲＡＴ  ＰＳＳ３４８および３５２と、その後に続く、それぞれ、第２のＳＳＳ３５０および３５４との反復された送信を含み得る。ＲＡＴ１に関する、マルチＲＡＴ  ＰＳＳおよびＳＳＳの送信方式の周期性は、時間期間３５６および３５８の間に示されている。すなわち、マルチＲＡＴ  ＰＳＳ３４４の送信とマルチＲＡＴ  ＰＳＳ３４８の送信との間の時間期間３５６は、マルチＲＡＴ  ＰＳＳ３４８の送信とマルチＲＡＴ  ＰＳＳ３５２の送信との間の時間期間３５８と同じである。同様に、ＳＳＳの送信の間の時間期間は、ＲＡＴ１に関して同じである。
【００５２】
[0060]ＲＡＴ  Ｎに関して、ここで、Ｎは、正の整数であり、および異なるＲＡＴの数に基づき、マルチＲＡＴ  ＰＳＳおよびＳＳＳの送信方式の周期性は、ＲＡＴ１に関して利用される周期性とは異なる。たとえば、ＲＡＴ  Ｎに関連する基地局１０５は、固定されたスケジュールに従って、マルチＲＡＴ  ＰＳＳ３６０と、その後に続くＳＳＳ３６２とを送信し得る。この送信方式は、追加のマルチＲＡＴ  ＰＳＳ３６４と、その後に続く第２のＳＳＳとの反復された送信を含み得る。図示されたＳＳＳ３６６は、例示的な目的のためにのみ示されており、および以前の送信されたマルチＲＡＴ  ＰＳＳに関連し得る。ＲＡＴ  Ｎに関する、マルチＲＡＴ  ＰＳＳおよびＳＳＳの送信方式の周期性は、時間期間３６８の間に示されている。すなわち、マルチＲＡＴ  ＰＳＳ３６０の送信とマルチＲＡＴ  ＰＳＳ３６４の送信との間の時間期間３６８は、ＲＡＴ１に関する時間期間３５６および／または３５８とは異なる。議論されたように、関連するＲＡＴの識別は、ＳＳＳ中に含まれ得るか、またはマルチＲＡＴ  ＰＳＳ／ＳＳＳの送信方式の周期性に基づいて暗黙的に伝達され得る。
【００５３】
[0061]いくつかの態様では、ＳＳＳの各々に関するフォーマット（たとえば、ロケーション、構造など）は、複数のＲＡＴの各々に関して異なり得る。たとえば、ＲＡＴ１のための、ＳＳＳ３４６に関するフォーマットは、ＲＡＴ  Ｎのための、ＳＳＳ３６２に関するフォーマットとは異なり得る。それぞれのＲＡＴに関するＳＳＳのフォーマットは、ＲＡＴの識別の指示を暗黙的に伝達し得、たとえば、ＵＥ１１５は、ＳＳＳのどのフォーマットがどのＲＡＴに関連するかを知り得る。
【００５４】
[0062]図４は、本開示の様々な態様に従った、ワイヤレス通信においての使用に関するデバイス４０５のブロック図４００を示す。デバイス４０５は、図１および図２を参照して記述されたＵＥ１１５の１つまたは複数の態様の一例であり得る。デバイス４０５は、図３Ａ〜図３Ｃを参照して記述された図３００の態様を実装し得る。デバイス４０５は、受信機４１０、ＲＡＴアクセスマネージャ４１５、および／または送信機４２０を含み得る。デバイス４０５はまた、プロセッサ（図示せず）であり得るか、またはプロセッサを含み得る。これらのコンポーネントの各々は、互いと通信状態にあり得る。
【００５５】
[0063]デバイス４０５のコンポーネントは、ハードウェアで適用可能な機能の一部または全部を実行するように適応された１つまたは複数の特定用途向け集積回路（ＡＳＩＣ）を使用して、個々にまたはまとめて実装され得る。代替的に、機能は、１つまたは複数の集積回路上で、１つまたは複数の他の処理ユニット（またはコア）によって実行され得る。他の例では、他のタイプの集積回路（たとえば、ストラクチャード／プラットフォームＡＳＩＣ、フィールドプログラマブルゲートアレイ（ＦＰＧＡ）、および他のセミカスタムＩＣ）は使用され得、それは当技術分野で知られているいずれかの様式でプログラムされ得る。各コンポーネントの機能はまた、１つまたは複数の汎用または特定用途向けプロセッサによって実行されるようにフォーマットされた、メモリ中に組み込まれた命令を用いて、全体的にまたは部分的に、実装され得る。
【００５６】
[0064]受信機４１０は、パケット、ユーザデータ、および／または様々な情報チャネル（たとえば、制御チャネル、データチャネルなど）に関連する制御情報のような情報を受信し得る。受信機４１０は、ＲＡＴ検出および識別に関するマルチＲＡＴ  ＰＳＳおよび／またはＳＳＳを含む送信を受信するように構成され得る。情報は、ＲＡＴアクセスマネージャ４１５に、およびデバイス４０５の他のコンポーネントに受け渡され得る。
【００５７】
[0065]ＲＡＴアクセスマネージャ４１５は、デバイス４０５に関するＲＡＴ検出および識別の態様を監視し得るか、制御し得るか、その態様のための手段を与え得るか、またはさもなければその態様を管理し得る。たとえば、ＲＡＴアクセスマネージャ４１５は、複数のＲＡＴの間で共通であるマルチＲＡＴ  ＰＳＳを復号し得る。ＲＡＴアクセスマネージャ４１５は、復号されたマルチＲＡＴ  ＰＳＳに基づいて、ＳＳＳを復号し得、および少なくともいくつかの態様において、復号されたＳＳＳに基づいて、マルチＲＡＴ  ＰＳＳとＳＳＳとに関連するＲＡＴを特定し得る。
【００５８】
[0066]送信機４２０は、デバイス４０５の他のコンポーネントから受信された１つまたは複数の信号を送信し得る。送信機４２０は、ワイヤレス通信に関する特定されたＲＡＴを介したものを含む送信を送信し得る。いくつかの例では、送信機４２０は、トランシーバのコンポーネントにおいて受信機４１０とコロケートされ(be collocated)得る。
【００５９】
[0067]図５は、様々な例に従った、ワイヤレス通信においての使用に関するデバイス４０５−ａのブロック図５００を示す。デバイス４０５−ａは、図１および図２を参照して記述されたＵＥ１１５の１つまたは複数の態様の一例であり得る。デバイス４０５−ａは、図３Ａ〜図３Ｃを参照して記述された図３００の態様を実装し得る。デバイス４０５−ａはまた、図４を参照して記述されたデバイス４０５の一例であり得る。デバイス４０５−ａは、受信機４１０−ａ、ＲＡＴアクセスマネージャ４１５−ａ、および／または送信機４２０−ａを含み得、それらは、デバイス４０５の対応するコンポーネントの例であり得る。デバイス４０５−ａはまた、プロセッサ（図示せず）を含み得る。これらのコンポーネントの各々は、互いと通信状態にあり得る。ＲＡＴアクセスマネージャ４１５−ａは、マルチＲＡＴ  ＰＳＳマネージャ５０５、ＳＳＳマネージャ５１０、および／またはＲＡＴ識別器５１５を含み得る。受信機４１０−ａおよび送信機４２０−ａは、それぞれ、図４の受信機４１０および送信機４２０の機能を実行し得る。
【００６０】
[0068]マルチＲＡＴ  ＰＳＳマネージャ５０５は、デバイス４０５−ａに関するマルチＲＡＴ  ＰＳＳ検出および復号の態様を監視し得るか、制御し得るか、その態様のための手段を与え得るか、またはさもなければその態様を管理し得る。たとえば、マルチＲＡＴ  ＰＳＳマネージャ５０５は、複数のＲＡＴの間で共通であるマルチＲＡＴ  ＰＳＳを復号し得る。マルチＲＡＴ  ＰＳＳは、送信に関する周期的なスケジュールに関連し得る。マルチＲＡＴ  ＰＳＳは、ＲＡＴ、たとえば、マルチＲＡＴ  ＰＳＳを送信する基地局によって利用されるＲＡＴに関連するタイミングコンポーネントと周波数コンポーネントとを含み得る。マルチＲＡＴ  ＰＳＳマネージャ５０５は、マルチＲＡＴ  ＰＳＳに関連する周期性を決定し得る。
【００６１】
[0069]複数のＲＡＴの例は、限定はされないが、ＬＴＥ  ＲＡＴ、ＵＭＴＳ  ＲＡＴ、ＧＳＭ  ＲＡＴなどを含む。いくつかの例では、複数のＲＡＴのうちの２つのＲＡＴは、同じ物理レイヤモードを使用し得、しかしながら異なる物理レイヤパラメータを使用し得る。この例では、２つのＲＡＴは同じＲＡＴと見なされ得る。他の例では、複数のＲＡＴのうちの２つのＲＡＴは、ダウンリンク通信に関するＯＦＤＭＡ技法を使用し得、しかしながら異なるトーン間隔パラメータおよび／またはサイクリックプレフィックス長のパラメータを使用し得る。この例では、２つのＲＡＴは異なるＲＡＴと見なされ得る。
【００６２】
[0070]ＳＳＳマネージャ５１０は、デバイス４０５−ａに関するＳＳＳ検出および復号の態様を監視し得るか、制御し得るか、その態様のための手段を与え得るか、またはさもなければその態様を管理し得る。たとえば、ＳＳＳマネージャ５１０は、復号されたマルチＲＡＴ  ＰＳＳに基づいて、ＳＳＳを復号し得る。ＳＳＳマネージャ５１０は、ＳＳＳ中に含まれるシーケンス番号を特定し得、シーケンス番号はＲＡＴの識別子を含むかまたはさもなければ伝達する。例示的なシーケンス番号は、ＲＡＴに関連する変調方式を含み得る。ＳＳＳマネージャ５１０は、復号されたＳＳＳに関連する周期性を決定し得る。ＳＳＳマネージャ５１０は、復号されたＳＳＳに関連するフォーマットを決定し得る。
【００６３】
[0071]ＲＡＴ識別器５１５は、デバイス４０５−ａに関してＲＡＴを特定することの態様を監視し得るか、制御し得るか、その態様のための手段を与え得るか、またはさもなければその態様を管理し得る。たとえば、ＲＡＴ識別器５１５は、復号されたＳＳＳに基づいて、マルチＲＡＴ  ＰＳＳとＳＳＳとに関連するＲＡＴを特定し得る。ＲＡＴ識別器５１５は、ＳＳＳ中に含まれるシーケンス番号に基づいてＲＡＴを特定し得る。ＲＡＴ識別器５１５は、ＳＳＳのフォーマットに基づいてＲＡＴを特定し得る。ＲＡＴ識別器５１５は、ＳＳＳの周期性に基づいてＲＡＴを特定し得る。ＲＡＴ識別器５１５は、マルチＲＡＴ  ＰＳＳの周期性に基づいてＲＡＴを特定し得る。
【００６４】
[0072]図６は、様々な例に従った、ワイヤレス通信においての使用に関するシステム６００を示す。システム６００は、ＵＥ１１５−ｂを含み得、それは図１および図２のＵＥ１１５の一例であり得、ならびに／または図４および図５のデバイス４０５の態様の一例であり得る。ＵＥ１１５−ｂは、図３Ａ〜図３Ｃを参照して記述された図３００の態様を実装し得る。一般的に、ＵＥ１１５−ｂは、記述された技法に従って、共通の同期信号を使用してＲＡＴ検出および識別をサポートするように構成され得る。
【００６５】
[0073]ＵＥ１１５−ｂは、通信を送信するためのコンポーネントと通信を受信するためのコンポーネントとを含む、双方向の音声およびデータ通信に関するコンポーネントを一般的に含み得る。ＵＥ１１５−ｂは、（１つまたは複数の）アンテナ６４０と、トランシーバ６３５と、プロセッサ６０５と、および（ソフトウェア（ＳＷ）６２０を含む）メモリ６１５とを含み得、それらの各々は、（たとえば、１つまたは複数のバス６４５を介して）互いと直接的にまたは間接的に通信し得る。トランシーバ６３５は、上記で記述されたように、（１つまたは複数の）アンテナ６４０、および／あるいは１つまたは複数のワイヤードまたはワイヤレスリンクを介して、１つまたは複数のネットワークと双方向に通信するように構成され得る。たとえば、トランシーバ６３５は、図１および図２を参照して基地局１０５と双方向に通信するように構成され得る。トランシーバ６３５は、パケットを変調し、および変調されたパケットを送信に関して（１つまたは複数の）アンテナ６４０に与え、および（１つまたは複数の）アンテナ６４０から受信されたパケットを復調するように構成されたモデムを含み得る。ＵＥ１１５−ｂは単一のアンテナ６４０を含み得、ＵＥ１１５−ｂは、マルチプルなワイヤレス送信を同時に送信および／または受信することが可能なマルチプルなアンテナを有し得る。トランシーバ６３５は、マルチプルなコンポーネントキャリアを介して、および／または異なるＲＡＴを介して１つまたは複数の基地局１０５と同時に通信することが可能であり得る。
【００６６】
[0074]ＵＥ１１５−ｂは、ＲＡＴアクセスマネージャ４１５−ｂを含み得、それは図４および図５のデバイス４０５のＲＡＴアクセスマネージャ４１５に関する上記で記述された機能を実行し得る。たとえば、ＲＡＴアクセスマネージャ４１５−ｂは、マルチＲＡＴ  ＰＳＳマネージャ５０５−ａ、ＳＳＳマネージャ５１０−ａ、ＲＡＴ識別器５１５−ｂを含み得、それらは、例であり得、およびそれぞれ、図５のマルチＲＡＴ  ＰＳＳマネージャ５０５、ＳＳＳマネージャ５１０、およびＲＡＴ識別器５１５の機能を実行し得る。
【００６７】
[0075]メモリ６１５は、ランダムアクセスメモリ（ＲＡＭ）および読取り専用メモリ（ＲＯＭ）を含み得る。メモリ６１５は、実行されたとき、プロセッサ６０５に本明細書で記述される様々な機能（たとえば、マルチＲＡＴ  ＰＳＳとＳＳＳとを復号する、および復号された同期信号に基づいて、関連するＲＡＴを特定するなど）を実行させるように構成された命令を含んでいるコンピュータ可読、コンピュータ実行可能ソフトウェア／ファームウェアコード６２０を記憶し得る。代替的に、コンピュータ可読、コンピュータ実行可能ソフトウェア／ファームウェアコード６２０は、プロセッサ６０５によって直接的に実行可能でないことがあり、しかしながら（たとえば、コンパイルされ、および実行されたとき）コンピュータに本明細書で記述される機能を実行させるように構成され得る。プロセッサ６０５は、インテリジェントハードウェアデバイス、たとえば、中央処理ユニット（ＣＰＵ）、マイクロコントローラ、特定用途向け集積回路（ＡＳＩＣ）などを含み得る。
【００６８】
[0076]図７は、本開示の様々な態様に従った、ワイヤレス通信に関する方法７００の一例を示すフローチャートである。明快のために、方法７００は、図１、図２、および図６を参照して記述されたＵＥのうちの１つまたは複数の態様、ならびに／または図４および図５を参照して記述されたデバイス４０５のうちの１つまたは複数の態様を参照して以下で記述される。いくつかの例では、ＵＥは、以下で記述される機能を実行するようにＵＥの機能的な要素を制御するためのコードの１つまたは複数のセットを実行し得る。追加的にまたは代替的に、ＵＥは、専用ハードウェアを使用して、以下で記述される機能のうちの１つまたは複数を実行し得る。
【００６９】
[0077]ブロック７０５において、方法７００は、ＵＥが複数のＲＡＴの間で共通であるマルチＲＡＴ  ＰＳＳを復号することを含み得る。ブロック７０５における（１つまたは複数の）動作は、図４〜図６を参照して記述されたマルチＲＡＴ  ＰＳＳマネージャ５０５を使用して実行され得る。
【００７０】
[0078]ブロック７１０において、方法７００は、ＵＥが、復号されたマルチＲＡＴ  ＰＳＳに基づいて、ＳＳＳを復号することを含み得る。ブロック７１０における（１つまたは複数の）動作は、図４〜図６を参照して記述されたＳＳＳマネージャ５１０を使用して実行され得る。
【００７１】
[0079]ブロック７１５において、方法７００は、ＵＥが、復号されたＳＳＳに基づいて、マルチＲＡＴ  ＰＳＳとＳＳＳとに関連するＲＡＴを特定することを含み得る。ブロック７１５における動作は、図４〜図６を参照して記述されたＲＡＴ識別器５１５を使用して実行され得る。
【００７２】
[0080]図８は、本開示の様々な態様に従った、ワイヤレス通信に関する方法８００の一例を示すフローチャートである。明快のために、方法８００は、図１、図２、および図６を参照して記述されたＵＥのうちの１つまたは複数の態様、ならびに／または図４および図５を参照して記述されたデバイス４０５のうちの１つまたは複数の態様を参照して以下で記述される。いくつかの例では、ＵＥは、以下で記述される機能を実行するようにＵＥの機能的な要素を制御するためのコードの１つまたは複数のセットを実行し得る。追加的にまたは代替的に、ＵＥは、専用ハードウェアを使用して、以下で記述される機能のうちの１つまたは複数を実行し得る。
【００７３】
[0081]ブロック８０５において、方法８００は、ＵＥが複数のＲＡＴの間で共通であるマルチＲＡＴ  ＰＳＳを復号することを含み得る。ブロック８０５における（１つまたは複数の）動作は、図４〜図６を参照して記述されたマルチＲＡＴ  ＰＳＳマネージャ５０５を使用して実行され得る。
【００７４】
[0082]ブロック８１０において、方法８００は、ＵＥが、復号されたマルチＲＡＴ  ＰＳＳに基づいて、ＳＳＳを復号することを含み得る。ブロック８１０における（１つまたは複数の）動作は、図４〜図６を参照して記述されたＳＳＳマネージャ５１０を使用して実行され得る。
【００７５】
[0083]ブロック８１５において、方法８００は、ＵＥが、ＳＳＳ中に含まれるＲＡＴシーケンス番号を特定することを含み得る。ブロック８１５における（１つまたは複数の）動作は、図４〜図６を参照して記述されたＳＳＳマネージャ５１０を使用して実行され得る。
【００７６】
[0084]ブロック８２０において、方法８００は、ＵＥが、復号されたＳＳＳに基づいて、マルチＲＡＴ  ＰＳＳとＳＳＳとに関連するＲＡＴを特定することを含み得、ここにおいて、ＲＡＴシーケンス番号はＲＡＴの識別子を備える。ブロック８２０における動作は、図４〜図６を参照して記述されたＲＡＴ識別器５１５を使用して実行され得る。
【００７７】
[0085]ブロック８１０において、方法８００は、ＵＥが、復号されたマルチＲＡＴ  ＰＳＳに基づいて、ＳＳＳを復号することを含み得る。ブロック８１０における（１つまたは複数の）動作は、図４〜図６を参照して記述されたＳＳＳマネージャ５１０を使用して実行され得る。
【００７８】
[0086]図９は、本開示の様々な態様に従った、ワイヤレス通信に関する方法９００の一例を示すフローチャートである。明快のために、方法９００は、図１、図２、および図６を参照して記述されたＵＥのうちの１つまたは複数の態様、ならびに／または図４および図５を参照して記述されたデバイス４０５のうちの１つまたは複数の態様を参照して以下で記述される。いくつかの例では、ＵＥは、以下で記述される機能を実行するようにＵＥの機能的な要素を制御するためのコードの１つまたは複数のセットを実行し得る。追加的にまたは代替的に、ＵＥは、専用ハードウェアを使用して、以下で記述される機能のうちの１つまたは複数を実行し得る。
【００７９】
[0087]ブロック９０５において、方法９００は、ＵＥが複数のＲＡＴの間で共通であるマルチＲＡＴ  ＰＳＳを復号することを含み得る。ブロック９０５における（１つまたは複数の）動作は、図４〜図６を参照して記述されたマルチＲＡＴ  ＰＳＳマネージャ５０５を使用して実行され得る。
【００８０】
[0088]ブロック９１０において、方法９００は、ＵＥが、復号されたマルチＲＡＴ  ＰＳＳに基づいて、ＳＳＳを復号することを含み得る。ブロック９１０における（１つまたは複数の）動作は、図４〜図６を参照して記述されたＳＳＳマネージャ５１０を使用して実行され得る。
【００８１】
[0089]ブロック９１５において、方法９００は、ＵＥが、復号されたＳＳＳに基づいて、マルチＲＡＴ  ＰＳＳとＳＳＳとに関連するＲＡＴを特定することを含み得る。ブロック９１５における動作は、図４〜図６を参照して記述されたＲＡＴ識別器５１５を使用して実行され得る。
【００８２】
[0090]ブロック９２０において、方法９００は、ＵＥが、特定されたＲＡＴの１つまたは複数のチャネル上でワイヤレス通信を実行することを含み得る。ブロック９２０における動作は、図４〜図６を参照して記述されたＲＡＴアクセスマネージャ４１５を使用して実行され得る。
【００８３】
[0091]したがって、方法７００〜９００はワイヤレス通信を提供し得る。方法７００〜９００は例示的な実装形態(implementations)にすぎないこと、および方法７００〜９００の動作は、他の実装形態が可能であるように、並べ替えられ得るかまたはさもなければ変更され得ることに留意されたい。
【００８４】
[0092]本明細書で記述された技法は、ＣＤＭＡ、ＴＤＭＡ、ＦＤＭＡ、ＯＦＤＭＡ、ＳＣ−ＦＤＭＡ、および他のシステムのような様々なワイヤレス通信システムに関して使用され得る。用語「システム」および「ネットワーク」は、しばしば互換的に使用される。ＣＤＭＡシステムは、ＣＤＭＡ２０００、ユニバーサル地上波無線アクセス（ＵＴＲＡ）などのような無線技術を実装し得る。ＣＤＭＡ２０００は、ＩＳ−２０００、ＩＳ−９５、およびＩＳ−８５６の規格をカバーする。ＩＳ−２０００リリース０およびＡは、一般に、ＣＤＭＡ２０００  １Ｘ、１Ｘなどと言及される。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと言及される。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ：Global System for Mobile Communications）のような無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などのような無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE（登録商標）-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ：3rd Generation Partnership Project）と称される団体からの文書に記述されている。ＣＤＭＡ２０００およびＵＭＢは、「第３世代パートナーシッププロジェクト２」（３ＧＰＰ２：3rd Generation Partnership Project 2）と称される団体からの文書に記述されている。本明細書で記述された技法は、ライセンスされていないおよび／または共有された帯域幅を介したセルラー（たとえば、ＬＴＥ）通信を含む、上述のシステムおよび無線技術、ならびに他のシステムおよび無線技術に関して使用され得る。上記の記述は、しかしながら、例のためにＬＴＥ／ＬＴＥ−Ａシステムを記述し、および本技法はＬＴＥ／ＬＴＥ−Ａの適用以外に適用可能であるが、ＬＴＥ用語は上記の記述の大部分において使用される。
【００８５】
[0093]添付の図面に結びついて上記に記載された詳細な記述は、例を記述しており、および実装され得るまたは特許請求の範囲内に入る例のみを表すものではない。用語「例」および「例示的」は、この記述で使用されるとき、「例、事例、または例示として働くこと」を意味し、および「好ましい」または「他の例よりも有利な」を意味しない。詳細な記述は、記述される技法の理解を与えるための具体的な詳細を含む。これらの技法は、しかしながら、これらの具体的な詳細なしに実施され得る。いくつかの事例では、よく知られている構造および装置は、記述された例の概念を不明瞭にすることを回避するためにブロック図の形式で示されている。
【００８６】
[0094]情報および信号は、様々な異なる技術および技法のいずれかを使用して表され得る。たとえば、上記の記述全体にわたって言及され得るデータ、命令、コマンド、情報、信号、ビット、シンボル、およびチップは、電圧、電流、電磁波、磁界または磁性粒子、光場または光学粒子、あるいはそれらのいずれかの組合せによって表され得る。
【００８７】
[0095]本明細書の開示に結びついて記述される様々な例示的なブロックおよびコンポーネントは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェアコンポーネント、あるいは本明細書で記述された機能を実行するように設計されたそれらのいずれかの組合せを用いて実装または実行され得る。汎用プロセッサはマイクロプロセッサであり得、しかしながら代替的に、プロセッサは、いずれかの従来のプロセッサ、コントローラ、マイクロコントローラ、または状態機械であり得る。プロセッサは、コンピューティングデバイスの組合せ、たとえば、ＤＳＰとマイクロプロセッサとの組合せ、マルチプルなマイクロプロセッサ、ＤＳＰコアと連携して１つまたは複数のマイクロプロセッサ、またはいずれかの他のそのような構成としても実装され得る。
【００８８】
[0096]本明細書で記述される機能は、ハードウェア、プロセッサによって実行されるソフトウェア、ファームウェア、またはそれらのいずれかの組合せにおいて実装され得る。プロセッサによって実行されるソフトウェアで実装される場合、機能は、１つまたは複数の命令またはコードとして、コンピュータ可読媒体上に記憶され得るか、またはコンピュータ可読媒体を介して送信され得る。他の例および実装形態は、本開示および添付の特許請求の範囲および趣旨内に入る。たとえば、ソフトウェアの性質に起因して、上記で記述された機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用されるように、２つ以上の項目の列挙中で使用されるとき、用語「および／または」は、列挙された項目のうちのいずれか１つがそれ自身で使用され得ること、または列挙された項目のうちの２つ以上のいずれかの組合せが使用され得ることを意味する。たとえば、組成がコンポーネントＡ、Ｂ、および／またはＣを含んでいるものとして記述される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用されるように、項目の列挙（たとえば、「のうちの少なくとも１つ」あるいは「のうちの１つまたは複数」のような句で終わる項目の列挙）中で使用されるような「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的な列挙を示す。
【００８９】
[0097]コンピュータ可読媒体は、１つの場所から別の場所へのコンピュータプログラムの転送を促進する(facilitates)いずれかの媒体を含む、コンピュータ記憶媒体と通信媒体の両方を含む。記憶媒体は、汎用または専用コンピュータによってアクセスされ得るいずれかの利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコードの手段を搬送または記憶するために使用され得、および汎用もしくは専用コンピュータ、または汎用もしくは専用プロセッサによってアクセスされ得る、いずれかの他の媒体を備えることができる。また、いずれかの接続はコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波のようなワイヤレス技術は、媒体の定義に含まれる。本明細書で使用されるように、ディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は通常、データを磁気的に再生し、ディスク（disc）は、データをレーザーで光学的に再生する。上記の組合せも、コンピュータ可読媒体の範囲内に含まれる。
【００９０】
[0098]本開示の前の記述は、当業者が本開示を作成または使用することができるように与えられる。本開示への様々な修正は当業者には容易に明らかとなり、および本明細書で定義された一般原理は、本開示の範囲から逸脱することなく他の変形形態に適用され得る。したがって、本開示は、本明細書で記述される例および設計に限定されるべきでなく、しかしながら、本明細書で開示される原理および新規の特徴に合致する最も広い範囲を与えられるべきである。
【図１】
2018533265.tif 000003
【図２】
2018533265.tif 000004
【図３Ａ】
2018533265.tif 000005
【図３Ｂ】
2018533265.tif 000006
【図３Ｃ】
2018533265.tif 000007
【図４】
2018533265.tif 000008
【図５】
2018533265.tif 000009
【図６】
2018533265.tif 000010
【図７】
2018533265.tif 000011
【図８】
2018533265.tif 000012
【図９】
2018533265.tif 000013
【国際調査報告】
2018533265.tif 000014
2018533265.tif 000015
2018533265.tif 000016